(57)【特許請求の範囲】
【請求項１】
通信ネットワークに接続された通信機器との通信によって通信ネットワークからダウンロード情報をダウンロードして取得する電子機器であって、
前記ダウンロード情報を指定する情報指定手段と、
この情報指定手段により指定されたダウンロード情報を、前記通信機器に対して前記通信ネットワークからダウンロードさせるための要求を送信するダウンロード要求手段と、
このダウンロード要求手段による要求に応じて前記通信機器においてダウンロードされたダウンロード情報を当該通信機器から受信するダウンロード情報受信手段と、
このダウンロード情報受信手段により受信されたダウンロード情報を出力するダウンロード情報出力手段と、
前記ダウンロード情報受信手段により受信されたダウンロード情報のうちの一部の情報を記憶する一部情報記憶手段と、
前記情報指定手段により同じダウンロード情報が再度指定された場合に、前記一部情報記憶手段に記憶されている一部の情報を出力する一部情報出力手段と、
を備えたことを特徴とする電子機器。
【請求項２】
さらに、
前記ダウンロード要求手段による要求に応じて前記通信機器においてダウンロードされその通信機器内に記憶されたダウンロード情報を当該通信機器から再受信して出力するダウンロード情報再出力手段と、
を備えたことを特徴とする請求項１に記載の電子機器。
【請求項３】
さらに、
前記一部情報記憶手段により前記通信機器から受信されたダウンロード情報のうちの一部情報を記憶する際に、その記憶容量が不足である場合には既に記憶されている一部情報を消去する一部情報消去手段と、
前記情報指定手段によりダウンロード情報が指定された際に、当該指定されたダウンロード情報に対応する一部情報が前記一部情報消去手段により消去済みの一部情報である場合には、前記通信機器においてダウンロードされその通信機器内に記憶された対応するダウンロード情報うちの一部情報を受信して出力する一部情報再出力手段と、
を備えたことを特徴とする請求項１または請求項２に記載の電子機器。
【請求項４】
さらに、
見出し語と当該見出し語に対応付けた情報とを記憶する情報記憶手段と、
見出し語を指定する見出し語指定手段と、
この見出し語指定手段により指定された見出し語に対応する情報を前記情報記憶手段により記憶された情報の中から読み出して表示する対応情報表示手段と、
この対応情報表示手段により表示された指定見出し語の対応情報と共に、当該見出し語対応情報についての追加のダウンロード情報の取得を指定するための指定情報を表示する指定情報表示手段とを備え、
前記情報指定手段は、前記指定情報表示手段により表示された指定情報を指定することを特徴とする請求項１乃至請求項３に記載の電子機器。
【請求項５】
前記指定情報表示手段により表示される指定情報は、前記対応情報表示手段により表示された見出し語対応情報についての追加情報としてのダウンロード情報が、前記ダウンロード要求手段による要求に応じて前記通信ネットワークからダウンロード済みである場合とそうでない場合とで異なる形態にして表示することを特徴とする請求項４に記載の電子機器。
【請求項６】
前記指定情報表示手段により表示される指定情報は、前記対応情報表示手段により表示された見出し語対応情報についての追加情報としての一部情報が、前記一部情報記憶手段により記憶されている場合とそうでない場合とで異なる形態にして表示することを特徴とする請求項４に記載の電子機器。
【請求項７】
通信ネットワークに接続された通信機器との通信によって通信ネットワークからダウンロード情報をダウンロードして取得する電子機器のコンピュータを制御するための電子機器制御プログラムであって、
前記コンピュータを、
前記ダウンロード情報を指定させるための情報指定手段、
この情報指定手段により指定させたダウンロード情報を、前記通信機器に対して前記通信ネットワークからダウンロードさせるための要求を送信するダウンロード要求手段、
このダウンロード要求手段による要求に応じて前記通信機器においてダウンロードされたダウンロード情報を当該通信機器から受信するダウンロード情報受信手段、
このダウンロード情報受信手段により受信されたダウンロード情報を出力するダウンロード情報出力手段、
前記ダウンロード情報受信手段により受信されたダウンロード情報のうちの一部の情報を記憶する一部情報記憶手段、
前記情報指定手段により同じダウンロード情報が指定された場合に、前記一部情報記憶手段に記憶されている一部の情報を出力する一部情報出力手段、
として機能させるようにしたコンピュータ読み込み可能な電子機器制御プログラム。
【請求項８】
さらに、前記コンピュータを、
前記ダウンロード要求手段による要求に応じて前記通信機器においてダウンロードされその通信機器内に記憶されたダウンロード情報を当該通信機器から再受信して出力するダウンロード情報再出力手段、
として機能させるようにした請求項７に記載のコンピュータ読み込み可能な電子機器制御プログラム。
【請求項９】
請求項１に記載の電子機器にあって、さらに、前記一部情報記憶手段により記憶されている一部の情報について、前記通信機器内に記憶されている各ダウンロード情報の一部の情報とシンクロする情報シンクロ手段を備えたことを特徴とする電子機器。
【発明の詳細な説明】
【０００１】
【発明の属する技術分野】
本発明は、パーソナルコンピュータなどの情報通信機器を利用して通信ネットワークから追加の解説情報を取り込むようにした電子辞典などの電子機器及び電子機器制御プログラムに関する。
【０００２】
【従来の技術】
従来、例えば通信機能を有するパーソナルコンピュータなどの情報通信機器において、ＣＤ−ＲＯＭによる百科辞典データベースを利用して各種分野の用語検索が行えるようになっている。
【０００３】
このような通信機能を備えた情報機器では、前記ＣＤ−ＲＯＭ辞典による検索結果に対応付けられて表示されるＷｅｂサイトへのリンクを指定することにより、インターネット上のリンク先Ｗｅｂサイトから検索結果に関するより詳細な解説となる情報を、文字データだけでなく静止画や動画・音声データなどのダウンロードによって取得し、表示・再生できるようになっている。
【０００４】
【発明が解決しようとする課題】
しかしながら、このような従来の情報通信機器にあって、インターネット上のＷｅｂサイトからダウンロードした辞典検索に伴う追加の解説情報は、ＲＡＭまたはハードディスク内のワークエリアに一時的に格納されるだけであり、新たな辞典検索に伴う追加の解説情報をダウンロードしていくと消去されてしまう。このため、過去の辞典検索に伴い一旦ダウンロードされた追加の解説情報を再度参照したい場合には、辞典検索及びそのリンク先の指定そのものを最初からやり直さなければならない問題がある。
【０００５】
また、辞典検索に伴いリンク先のＷｅｂサイトよりダウンロードした追加の解説情報を、ユーザ操作により保存用のメモリエリアに格納して保存させることもできるが、追加の解説情報を参照したい場合には、当該辞典データに対応する追加の解説情報をユーザ操作によって保存用のメモリエリアから探し出さなければならない問題がある。
【０００６】
一方、関連情報は、一般に１回ダウンロードして内容を確認すれば、２回目以降は概略のみ見たいことが多く、せっかくダウンロードデータ全体を保存していても、再度そのデータ全体を見せられるのはかえって煩わしい場合が多い。
【０００７】
一方、ＰＤＡ(Personal Digital Assistants)などの通信機能を有する携帯端末により、前記同様のＲＯＭ辞典を利用してその検索内容に対応する追加の解説情報をネット上のＷｅｂサイトからダウンロードして参照することも可能であるが、この場合にも同様の問題があり、しかも大容量のメモリを持たないので、ダウンロードした解説情報全体を蓄積して保存するのは困難であり、また再生時にも煩わしい。
【０００８】
本発明は、前記のような問題に鑑みてなされたもので、例えば携帯端末にあっても、辞典検索に伴いＷｅｂサイトよりダウンロードされた追加の解説情報を、容易に適切に再出力することが可能になる電子機器及び電子機器制御プログラムを提供することを目的とする。
【０００９】
【課題を解決するための手段】
すなわち、本発明の請求項１に係る電子機器は、通信ネットワークに接続された通信機器との通信によって通信ネットワークからダウンロード情報をダウンロードして取得する電子機器であって、
前記ダウンロード情報を指定する情報指定手段と、
この情報指定手段により指定されたダウンロード情報を、前記通信機器に対して前記通信ネットワークからダウンロードさせるための要求を送信するダウンロード要求手段と、
このダウンロード要求手段による要求に応じて前記通信機器においてダウンロードされたダウンロード情報を当該通信機器から受信するダウンロード情報受信手段と、
このダウンロード情報受信手段により受信されたダウンロード情報を出力するダウンロード情報出力手段と、
前記ダウンロード情報受信手段により受信されたダウンロード情報のうちの一部の情報を記憶する一部情報記憶手段と、
前記情報指定手段により同じダウンロード情報が再度指定された場合に、前記一部情報記憶手段に記憶されている一部の情報を出力する一部情報出力手段と、を備えたことを特徴とする。
【００１０】
このような、本発明の請求項１に係る電子機器では、通信機器から受信して情報出力されたダウンロード情報のうちの一部の情報が当該電子機器に保存されるので、同じ情報を指定すると、保存されたその一部の情報のみを適切に出力することができる。従って、通信機器から受信したダウンロード情報を効率よく保存して利用できる。
【００１１】
例えば辞典検索に伴い検索された辞典データに対応するダウンロード情報の取得について指定されると、この指定された情報に対応するダウンロード情報を、通信機器に対して通信ネットワークからダウンロードさせるための要求が送信され、このダウンロード要求に応じて前記通信機器においてダウンロードされたダウンロード情報が当該通信機器から受信されると、この受信されたダウンロード情報が出力されると共に、当該ダウンロード情報のうちの一部の情報が一部情報記憶手段により記憶される。そしてまた、同じダウンロード情報の取得について再度指定された場合は、前記一部情報記憶手段に記憶されている一部の情報が出力される。よって、通信ネットワークからダウンロードされたダウンロード情報を、その一部の情報として電子機器単独で再出力させることができる。
【００１５】
【発明の実施の形態】
以下、図面を参照して本発明の実施の形態について説明する。
【００１６】
図１は、本発明の電子機器の実施形態に係る電子辞典１０の電子回路の構成を示すブロック図である。
【００１７】
電子辞典１０は、各種の記録媒体に記録されたプログラム、又は、伝送されたプログラムを読み込んで、その読み込んだプログラムによって動作が制御されるコンピュータによって構成され、その電子回路には、ＣＰＵ(central processing unit)１１が備えられる。
【００１８】
ＣＰＵ１１は、メモリ１２内のＲＯＭ１２Ａに予め記憶された電子辞典制御プログラム、あるいはＲＯＭカードなどの外部記録媒体１３から記録媒体読取部１４を介して前記メモリ１２に読み込まれた電子辞典制御プログラム、あるいはインターネットなどの通信ネットワークＮ上の他のコンピュータ端末から電送制御部１５を介して前記メモリ１２に読み込まれた電子辞典制御プログラムに応じて、回路各部の動作を制御するもので、前記メモリ１２に記憶された電子辞典制御プログラムは、キーやタッチパネルからなる入力部１６からのユーザ操作に応じた入力信号、あるいは電送制御部１５に受信される通信ネットワークＮ上の他のコンピュータ端末からの信号、あるいはBluetooth(R)による近距離通信部１５ａを介して受信される通信機器であるパーソナルコンピュータ（ＰＣ）２０からの信号に応じて起動される。
【００１９】
前記ＣＰＵ１１には、前記メモリ１２、記録媒体読取部１４、電送制御部１５、入力部１６、近距離通信部１５ａが接続される他に、ＬＣＤからなる表示部１７、現在日時の計時を行う時計部１８、スピーカを備え音声データを出力する音声出力部１９などが接続される。
【００２０】
この電子辞典１０のメモリ１２は、ＲＯＭ１２Ａ、FLASHメモリ(EEP-ROM)１２Ｂ、ＲＡＭ１２Ｃを備えて構成される。
【００２１】
ＲＯＭ１２Ａには、当該電子辞典１０の全体の動作を司るシステムプログラムや電送制御部１５を介して通信ネットワークＮ上の各コンピュータ端末とデータ通信するための通信プログラム、近距離通信部１５ａを介してパーソナルコンピュータ（ＰＣ）２０とデータ通信するための近距離通信プログラムが記憶される他に、この電子辞典１０での辞典検索処理に伴い当該辞典データに対応する追加の解説情報を前記パーソナルコンピュータ（ＰＣ）２０を介しＷｅｂ（情報提供）サーバ３０（図２・図３参照）からダウンロードして取り込むためのダウンロードプログラム１２ａ、百科事典，英和，和英，国語辞典など各種の辞典検索を行うための辞典プログラム１２ｂなど、種々の電子機器制御プログラムが記憶される。また、このＲＯＭ１２Ａには、前記辞典プログラム１２ｂに従った辞典検索の対象データベースとなる百科，英和，和英，国語など、各種の辞典の内容が収録された辞典データ１２ｃが記憶される。
【００２２】
FLASHメモリ(EEP-ROM)１２Ｂには、辞典検索に伴いパーソナルコンピュータ（ＰＣ）２０を経由してＷｅｂサーバ３０からダウンロードされた追加の解説情報それぞれの情報番号が記憶される情報番号メモリ１２ｄ、当該解説情報としてダウンロードされた画像・音声・文字からなるデータのうち各解説情報それぞれの概略部分のデータが情報番号に対応付けられて記憶される概略情報メモリ１２e1，１２e2，…、前記解説情報としてダウンロードされた画像・音声・文字からなるデータのうち各解説情報それぞれの縮小画像が情報番号に対応付けられて記憶される縮小画像メモリ１２ｆ、などのメモリエリアが用意される。
【００２３】
ここで、前記FLASHメモリ(EEP-ROM)１２Ｂ内の概略情報メモリ１２e1，１２e2，…にそれぞれ記憶された過去の各検索用語に対応したダウンロード解説情報の中の概略情報１，２，…のデータは、何れもその新規データの保存に際しメモリ容量が不足した場合に、最も古いデータから削除される。
【００２４】
ＲＡＭ１２Ｃには、辞典検索に伴いパーソナルコンピュータ（ＰＣ）２０を経由してＷｅｂサーバ３０からダウンロードされた画像・音声・文字からなる解説情報の全体のデータが一時的に格納される解説情報メモリ１２ｇ、などのワークエリアが用意される。
【００２５】
なお、辞典検索に伴う該当辞典データに対応して前記パーソナルコンピュータ（ＰＣ）２０を経由してＷｅｂサーバ３０よりダウンロードされる追加の解説情報は、その検索用語の内容をより詳細に説明するための情報であり、その内容は例えば詳細テキスト部分・詳細画像部分からなっており、この詳細テキスト・画像データの中で概略的な解説となる概略情報部分のテキストデータ及び画像データには、識別子が付されている。そして、前記概略情報メモリ１２e1，１２e2，…には、その概略情報部分のテキストデータが抽出されて記憶され、また、前記縮小画像メモリ１２ｆには、その概略情報部分の縮小された画像データが抽出されて記憶される。
【００２６】
すなわち、辞典検索に伴い前記パーソナルコンピュータ（ＰＣ）２０を経由してＷｅｂサーバ３０からダウンロードされた追加の解説情報が前記ＲＡＭ１２Ｃ内の解説情報メモリ１２ｇに一時記憶されると、当該解説情報の中から概略部分のテキストデータが抽出されて前記FLASHメモリ(EEP-ROM)１２Ｂ内の概略情報メモリ１２e1，１２e2，…に順次保存され、また、同解説情報の中から概略部分の縮小画像データが抽出されて前記FLASHメモリ(EEP-ROM)１２Ｂ内の縮小画像メモリ１２ｆに順次保存される。
【００２７】
図２は前記電子機器（電子辞典１０）と組み合わせて使用される通信機器としてのパーソナルコンピュータ（ＰＣ）２０の電子回路の構成を示すブロック図である。
【００２８】
パーソナルコンピュータ（ＰＣ）２０は、各種の記録媒体に記録されたプログラム、又は、伝送されたプログラムを読み込んで、その読み込んだプログラムによって動作が制御されるコンピュータによって構成され、その電子回路には、ＣＰＵ(central processing unit)２１が備えられる。
【００２９】
ＣＰＵ２１は、メモリ２２内のハードディスク２２Ａに予め記憶されたＰＣ制御プログラム、あるいはＣＤ−ＲＯＭなどの外部記録媒体２３から記録媒体読取部２４を介して前記メモリ２２に読み込まれたＰＣ制御プログラム、あるいはインターネットなどの通信ネットワークＮ上の他のコンピュータ端末から電送制御部２５を介して前記メモリ２２に読み込まれたＰＣ制御プログラムに応じて、回路各部の動作を制御するもので、前記メモリ２２に記憶されたＰＣ制御プログラムは、キーボードやマウスを備えた入力部２６からのユーザ操作に応じた入力信号、あるいは電送制御部２５に受信される通信ネットワークＮ上のＷｅｂサーバ２０など他のコンピュータ端末からの信号、あるいはBluetooth(R)による近距離通信部２５ａを介して受信される電子機器である電子辞典１０からの信号に応じて起動される。
【００３０】
前記ＣＰＵ２１には、前記メモリ２２、記録媒体読取部２４、電送制御部２５、入力部２６、近距離通信部２５ａが接続される他に、ＬＣＤやＣＲＴからなる表示部２７、現在日時の計時を行う時計部２８、スピーカを備え音声データを出力する音声出力部２９などが接続される。
【００３１】
このパーソナルコンピュータ（ＰＣ）２０のメモリ２２は、ハードディスク２２Ａ、ＲＡＭ２２Ｂを備えて構成される。
【００３２】
ハードディスク２２Ａには、当該パーソナルコンピュータ（ＰＣ）２０の全体の動作を司るシステムプログラムや電送制御部２５を介して通信ネットワークＮ上の各コンピュータ端末とデータ通信するための通信プログラム、近距離通信部２５ａを介して電子辞典１０とデータ通信するための近距離通信プログラムが記憶される他に、前記電子辞典１０からの辞典検索に伴う追加の解説情報のダウンロード依頼に伴い当該辞典検索結果に対応する追加の解説情報をＷｅｂ（情報提供）サーバ３０（図３参照）からダウンロードして取り込み電子辞典１０へさらにダウンロードするためのＰＣ用ダウンロードプログラム２２ａ、このパーソナルコンピュータ（ＰＣ）２０自身での操作に応じて前記Ｗｅｂサーバ３０からダウンロード済みの各種用語に対応する解説情報を検索利用したり、新たにＷｅｂサーバ３０から検索ダウンロードして利用するためのＰＣ用情報利用プログラム２２ｂなど、種々の電子機器制御プログラムが記憶される。
【００３３】
また、このハードディスク２２Ａには、電子辞典１０からの依頼に伴いＷｅｂサーバ３０からダウンロードされた追加の解説情報それぞれの情報番号が記憶される情報番号一覧メモリ２２ｃ、当該ダウンロードされた各解説情報がその情報番号に対応付けられて記憶される解説情報メモリ２２c1，２２c2，…などのメモリエリアが用意される。
【００３４】
ＲＡＭ２２Ｂには、Ｗｅｂサーバ３０からダウンロードされた解説情報が一時的に格納されるなどするワークメモリ２２ｄが用意される。
【００３５】
なお、前記解説情報メモリ２２c1，２２c2，…には、各解説情報それぞれの詳細テキストデータ及び詳細画像データからなる全体のデータが記憶される。
【００３６】
図３は、前記電子機器（電子辞典１０）及び通信機器（パーソナルコンピュータ２０）をネットワーク環境において使用する場合の解説情報提供元となるＷｅｂサーバ３０の構成を示すブロック図である。
【００３７】
このＷｅｂサーバ３０は、前記電子辞典１０での辞典検索に伴う解説情報を前記パーソナルコンピュータ（ＰＣ）２０を介しダウンロードして提供するもので、各種の記録媒体に記録されたプログラム、又は、伝送されたプログラムを読み込んで、その読み込んだプログラムによって動作が制御されるコンピュータによって構成され、その電子回路には、ＣＰＵ(central processing unit)３１が備えられる。
【００３８】
ＣＰＵ３１は、ＥＥＰ−ＲＯＭやフラッシュメモリ，ハードディスクなどのメモリ３２に予め記憶されたサーバ制御プログラム、あるいはＣＤ−ＲＯＭやフロッピディスクなどの外部記録媒体３３から記録媒体読取部３４を介して前記メモリ３２に読み込まれたサーバ制御プログラム、あるいはインターネットなどの通信ネットワークＮ上にある他のコンピュータ端末から電送制御部３５を介して前記メモリ３２に読み込まれたサーバ制御プログラムに応じて、回路各部の動作を制御するもので、前記メモリ３２に記憶されたサーバ制御プログラムは、通信ネットワークＮを介して電送制御部３５に受信されるユーザ使用のパーソナルコンピュータ（ＰＣ）２０（図２参照）などの各コンピュータ端末からの信号に応じて起動される。
【００３９】
前記ＣＰＵ３１には、前記メモリ３２、記録媒体読取部３４、電送制御部３５が接続される他に、キーボードやマウスなどの入力部３６、ＣＲＴやＬＣＤなどの表示部３７、現在日時の計時を行う時計部３８などが接続される。
【００４０】
このＷｅｂサーバ３０のメモリ３２には、当該サーバ３０の全体の動作を司るサーバシステムプログラムや電送制御部３５を介して通信ネットワークＮ上の各コンピュータ端末とデータ通信するための通信プログラムが記憶される他に、前記電子辞典１０での辞典検索に伴いパーソナルコンピュータ（ＰＣ）２０を経由して受信される対応情報番号を指定した解説情報のダウンロード要求に応じて、該当の解説情報をダウンロードするためのサーバ用ダウンロードプログラム３２Ａが記憶される。
【００４１】
また、メモリ３２には、電子百科事典，電子英和辞典，電子国語辞典など、各種辞典対応の解説情報提供元を示すアクセスアドレス（ＵＲＬ）及びアクセス用認証情報が記憶される辞典別情報メモリ（百科）３２Ｂ，（英和）３２Ｃ，（国語）３２Ｄ，…が設けられ、この辞典別情報メモリ３２Ｂ，３２Ｃ，３２Ｄ，…のそれぞれにおいて、該当辞典収録用語のそれぞれに対応する追加の解説情報1,2,3,…がその情報番号に対応付けられて記憶される解説情報メモリ３２b1，３２b2，…、３２c1，３２c2，…、３２d1，３２d2，…が備えられる。
【００４２】
次に、前記構成の電子辞典１０，パーソナルコンピュータ（ＰＣ）２０及びＷｅｂサーバ３０における辞典検索機能及びその解説情報ダウンロード機能について説明する。
【００４３】
図４は前記電子辞典１０における辞典検索ダウンロード処理（その１）を示すフローチャートである。
【００４４】
図５は前記電子辞典１０における辞典検索ダウンロード処理（その２）を示すフローチャートである。
【００４５】
図６は前記電子辞典１０における辞典検索ダウンロード処理に伴う表示例（その１）を示す図であり、同図（Ａ）は検索語の入力画面Ｇ１を示す図、同図（Ｂ）は用語初回検索時の解説情報ダウンロード前の辞典データ表示画面Ｇ２を示す図である。
【００４６】
図７は前記電子辞典１０における辞典検索ダウンロード処理に伴う表示例（その２）を示す図であり、同図（Ａ）〜同図（Ｃ）は解説情報ダウンロードに伴う詳細画像表示画面Ｇ３ａ〜Ｇ３ｃ及び詳細テキスト再生状態を示す図である。
【００４７】
図８は前記電子辞典１０における辞典検索ダウンロード処理に伴う表示例（その３）を示す図であり、同図（Ａ）は検索語の入力画面Ｇ１を示す図、同図（Ｂ）は用語２回目以降検索時の解説情報呼び出し前の辞典データ表示画面Ｇ２′を示す図、同図（Ｃ）は解説情報呼び出しに伴う概略情報表示画面Ｇ４を示す図である。
【００４８】
電子辞典１０において辞典検索モードが起動され、百科事典，英和辞典，国語辞典などの検索対象となる辞典が選択されると、図６（Ａ）並びに図８（Ａ）に示すように、ユーザに検索語の入力を促す検索語入力画面Ｇ１が初期画面として表示される（ステップＳ１）。
【００４９】
この検索語入力画面Ｇ１にあって、ユーザ所望の検索用語（例えば「ＪＰＥＧ」）に従った検索語「ＪＰＥ」が入力されると、当該入力された検索語「ＪＰＥ」に対応する対象となる辞典中の見出しがＲＯＭ１２Ａに記憶されている辞典データ１２ｃの中から検索され（ステップＳ２→Ｓ４）、当該検索された辞典情報の見出しの候補「ＪＰＥＧ」「ＪＰ」「ＪＳＢ」…が表示される（ステップＳ５）。
【００５０】
この検索語に対応した辞典見出し候補の表示された入力画面Ｇ１にあって、その内容を検索すべき所望の見出し「ＪＰＥＧ」がユーザにより選択されて指定されると（ステップＳ６）、指定された見出しに対応する辞典データ１２ｃの内容が読み出される（ステップＳ７）。
【００５１】
すると、この検索対象の見出しに対応する辞典内容の情報に、追加の解説情報がダウンロード可能であることを示す追加情報コードが対応付けられているか否か判断される（ステップＳ８）。
【００５２】
ここで、検索対象の見出しに対応する辞典内容の情報に、追加の解説情報がダウンロード可能であることを示す追加情報コードが対応付けられていると判断された場合には、当該解説情報の情報番号が情報番号メモリ１２ｄ内に既に記憶されているか、つまり過去の同一用語の辞典検索に伴いその解説情報がダウンロード済みであるか否か判断される（ステップＳ８→Ｓ９）。
【００５３】
そして、前記検索された辞典内容に対応する追加の解説情報の情報番号が、情報番号メモリ１２ｄ内に既に記憶されており、その解説情報がダウンロード済みであると判断された場合には、ダウンロード済みであることを示すための枠表示（実線太枠）用制御コードが前記追加情報コードに付加設定され（ステップＳ９→Ｓ１０）、さらに、当該情報番号に対応付けられた概略情報が概略情報メモリ１２e1，１２e2，…内に保存されているか否か判断される（ステップＳ１１）。
【００５４】
ここで、前記検索された辞典内容に対応する解説情報の情報番号に対応付けられた概略情報が概略情報メモリ１２e1，１２e2，…内に存在せず消去済みであると判断された場合には、その解説情報がダウンロード済みで且つ保存されていた概略情報が消去済みであることを示すための枠表示（点線枠）用制御コードが前記追加情報コードに付加設定される（ステップＳ１１→Ｓ１２）。
【００５５】
そして、前記ステップＳ９において、検索された辞典内容に対応する解説情報の情報番号が情報番号メモリ１２ｄ内に記憶されなく、追加情報ダウンロード済みでないと判断された場合には、例えば図６（Ｂ）で示すように、前記検索された見出し［ＪＰＥＧ］に対応する辞典データ１２ｃの内容と共に、その追加情報コードに従い解説情報がダウンロード可能であることを示す［詳細解説］ボタンＴ１が表示される（ステップＳ１３）。
【００５６】
また、前記ステップＳ１１において、検索された辞典内容に対応する情報番号に対応付けられた概略情報が概略情報メモリ１２e1，１２e2，…に保存されていると判断された場合には、例えば図８（Ｂ）で示すように、前記検索された見出し［ＪＰＥＧ］に対応する辞典データ１２ｃの内容と共に、前記ステップＳ１０にて設定された概略情報有りを示す実線太枠の追加情報制御コードに従った太枠付の［解説］ボタンＴ２が表示される（ステップＳ１３）。
【００５７】
また、前記ステップＳ１１において、検索された辞典データ１２ｃの内容に対応する情報番号に対応付けられた概略情報が概略情報メモリ１２e1，１２e2，…に保存されてないと判断されることで、前記ステップＳ１２において、解説情報がダウンロード済みで且つ保存されていた概略情報が消去済みであることを示すための枠表示（点線枠）用制御コードが前記追加情報コードに付加設定された場合には、前記検索された見出し［ＪＰＥＧ］に対応する辞典データ１２ｃの内容と共に、ステップＳ１２にて設定された概略情報消去済みを示す点線枠の追加情報制御コードに従った点線枠付の［解説］ボタンＴ３が表示される（ステップＳ１３）。
【００５８】
ここで、例えば図６（Ｂ）で示した用語初回検索に伴う検索辞典データの表示画面Ｇ２にあって、検索された見出し「ＪＰＥＧ」の辞典内容と共に表示された［詳細解説］ボタンＴ１がユーザ操作により指定され、当該表示中の辞典内容に対応する追加の解説情報の表示が指定されると（ステップＳ１４）、その追加情報の情報番号は情報番号メモリ１２ｄ内に記憶されてなく、該追加の解説情報はダウンロード済みでないと判断される（ステップＳ１６）。
【００５９】
すると、パーソナルコンピュータ（ＰＣ）２０に対し、当該情報番号に対応付けられた追加の解説情報を通信ネットワーク（インターネット）Ｎ上のＷｅｂサーバ３０（図３参照）からダウンロードさせて取得するための指示信号が送信される（ステップＳ２８）。
【００６０】
そして、これに応じて前記パーソナルコンピュータ（ＰＣ）２０にて通信ネットワーク（インターネット）Ｎ上のＷｅｂサーバ３０からダウンロードされた追加の解説情報がこの電子辞典１０に受信されると（ステップＳ２９）、このＰＣ２０でのダウンロードにより受信取得された追加の解説情報は、一旦ＲＡＭ１２Ｃ内の解説情報メモリ１２ｇに格納される。
【００６１】
すると、前記図６（Ｂ）で示したように、これまで表示されていた検索見出し「ＪＰＥＧ」に対応する辞典データの内容に替えて、図７（Ａ）〜（Ｃ）で示すように、前記解説情報メモリ１２ｇに記憶された追加の解説情報が、その詳細画像の動画表示及び詳細テキストの音声出力として表示・再生される（ステップＳ３０）。この場合、当該検索辞書内容に対応する追加の解説情報は、別の検索語での辞典検索が実行されるか他のモードに切り替えられるまで前記ＲＡＭ１２Ｃ内の解説情報メモリ１２ｇに格納されたままとなるので、この段階では当該追加の解説情報に含まれる詳細情報を何度でも再表示できることになる。
【００６２】
そして、前記新たにダウンロードして取得した追加の解説情報の情報番号が情報番号メモリ１２ｄに対し追加して記憶される（ステップＳ３１）。
【００６３】
またこれと共に、前記解説情報メモリ１２ｇに一時記憶されている追加の解説情報の中から、概略テキストと概略画像からなる概略情報のみが抽出され、情報番号メモリ１２ｄに記憶された情報番号に対応付けられて概略情報メモリ１２enに記憶保存される（ステップＳ３２）。
【００６４】
この場合、前記追加の解説情報の概略情報として抽出される概略テキストとは、例えば当該解説情報の詳細テキストから抜粋された要約相当部分のテキストであり、また、概略画像とは、例えば当該解説情報の詳細画像から抜粋された簡略的な画像である。
【００６５】
なお、前記ＰＣ２０を介して新たにダウンロードされた追加解説情報の中の概略情報の抽出保存（ステップＳ３２）に際し、メモリ容量が不足であると判断された場合には、概略情報メモリ１２e1，１２e2，…に記憶保存されている各情報番号対応の概略情報の中で、最も古い概略情報のデータが削除され（ステップＳ３３→Ｓ３４）、この後に同追加解説情報の概略情報が記憶保存される（ステップＳ３２）。
【００６６】
一方、例えば図８（Ｂ）で示した同一用語２回目以降の検索に伴う辞典データの表示画面Ｇ２′にあって、概略情報有りを示す実線太枠により囲まれた［解説］ボタンＴ２がユーザ操作により指定されることで、当該表示中の辞典内容に対応する追加解説情報の表示が指定された場合には（ステップＳ１４）、まず、当該追加解説情報の情報番号が情報番号メモリ１２ｄ内に既に記憶されていることで、追加情報はダウンロード済みであると判断されると共に（ステップＳ１６）、この追加情報の情報番号に対応付けられた概略情報が概略情報メモリ１２e1，１２e2，…内に消去されずに存在するか否か判断される（ステップＳ１７）。
【００６７】
ここで、前記追加情報の情報番号に対応付けられた概略情報が概略情報メモリ１２e1，１２e2，…内に消去されずに存在すると判断された場合には、当該概略情報メモリ１２e1，１２e2，…内に記憶されている対応概略情報が読み出され、例えば図８（Ｃ）で示すように、その概略テキスト及び概略画像の動画・音声からなる概略情報表示画面Ｇ４が表示・出力される（ステップＳ１７→Ｓ２３）。
【００６８】
この際、前記概略情報表示画面Ｇ４には、さらに詳細情報を表示・出力させるための［詳細解説］ボタンＴ１が共に表記される。
【００６９】
また、例えば図８（Ｂ）で示した同一用語２回目以降の検索に伴う辞典データの表示画面Ｇ２′にあって、概略情報消去済みを示す点線枠により囲まれた［解説］ボタンＴ３がユーザ操作により指定されることで、当該表示中の辞典内容に対応する追加解説情報の表示が指定された場合には（ステップＳ１４）、まず、当該追加解説情報の情報番号が情報番号メモリ１２ｄ内に既に記憶されていることで、追加情報はダウンロード済みであると判断される一方（ステップＳ１６）、この追加情報の情報番号に対応付けられた概略情報は概略情報メモリ１２e1，１２e2，…内から消去されて存在しないと判断されるので（ステップＳ１７）、パーソナルコンピュータ（ＰＣ）２０に対して当該ＰＣ２０内に既にダウンロードされて保存されている該当情報番号に対応する追加解説情報の概略情報を送信させるための指示信号が送信される（ステップＳ１８）。
【００７０】
そして、これに応じて前記パーソナルコンピュータ（ＰＣ）２０の解説情報メモリ３２c1，３２c2，…から読み出された追加解説情報の概略情報がこの電子辞典１０に受信されると（ステップＳ１９）、このＰＣ２０から受信された概略情報は、既に情報番号メモリ１２ｄに記憶されている情報番号に対応付けられて概略情報メモリ１２enに再記憶され保存される（ステップＳ２０）。
【００７１】
なお、前記ＰＣ２０から受信された概略情報の再保存（ステップＳ２０）に際し、メモリ容量が不足であると判断された場合には、概略情報メモリ１２e1，１２e2，…に記憶保存されている各情報番号対応の概略情報の中で、最も古い概略情報のデータが削除され（ステップＳ２１→Ｓ２２）、この後に同追加解説情報の概略情報が再記憶されて保存される（ステップＳ２２）。
【００７２】
すると、この概略情報メモリ１２e1，１２e2，…に記憶保存された概略情報が読み出され、例えば図８（Ｃ）で示したように、その概略テキスト及び概略画像の動画・音声からなる概略情報表示画面Ｇ４が表示・出力される（ステップＳ２１→Ｓ２３）。
【００７３】
そしてこの際もまた、前記概略情報表示画面Ｇ４には、さらに詳細情報を表示・出力させるための［詳細解説］ボタンＴ１が共に表記される。
【００７４】
こうして、前記検索された見出しの辞典内容と共に、対応する概略情報が概略情報メモリ１２e1，１２e2，…より読み出されて表示・出力された状態で、ユーザ操作により前記［詳細解説］ボタンＴ１が指定されて詳細情報の表示指示が為されると（ステップＳ２４）、パーソナルコンピュータ（ＰＣ）２０に対して当該ＰＣ２０内に既にダウンロードされて保存されている該当情報番号に対応する追加解説情報の全体（詳細情報）を送信させるための指示信号が送信される（ステップＳ２５）。
【００７５】
そして、これに応じて前記パーソナルコンピュータ（ＰＣ）２０の解説情報メモリ３２c1，３２c2，…から読み出された追加解説情報の詳細情報がこの電子辞典１０に受信されＲＡＭ１２ｇ内の解説情報メモリ１２ｇに一時記憶されると（ステップＳ２６）、前記図８（Ｃ）で示したように、これまで表示されていた概略情報表示画面Ｇ４に替えて、前記図７（Ａ）〜（Ｃ）で示したように、解説情報メモリ１２ｇに記憶された追加の解説情報が、その詳細画像の動画表示及び詳細テキストの音声出力として表示・再生される（ステップＳ２７）。
【００７６】
図９は前記パーソナルコンピュータ（ＰＣ）２０における電子辞典１０からの指示に伴うダウンロード処理を示すフローチャートである。
【００７７】
パーソナルコンピュータ（ＰＣ）２０において、その近距離通信部２５ａを介した無線信号が受信されると（ステップＡ１）、当該受信された無線信号が前記電子辞典１０から送信された情報送信の指示信号であるか否か判断される（ステップＡ２）。
【００７８】
そして、近距離通信部２５ａを介して受信された無線信号が前記電子辞典１０から送信された情報送信の指示信号であると判断された場合には、その指示信号が前記ステップＳ２８での処理に基づき電子辞典１０から送信された、指定の情報番号に対応する追加解説情報を通信ネットワーク（インターネット）Ｎ上のＷｅｂサーバ３０（図３参照）からダウンロードさせて取得するための指示信号であるか、または、前記ステップＳ２５での処理に基づき送信された、当該ＰＣ２０内に既にダウンロードされて保存されている指定の情報番号に対応する追加解説情報の全体（詳細情報）を送信させるための指示信号であるか、または、前記ステップＳ１８での処理に基づき送信された、当該ＰＣ２０内に既にダウンロードされて保存されている指定の情報番号に対応する追加解説情報の概略情報を送信させるための指示信号であるか、の何れであるかが判断される（ステップＡ２→Ａ３〜Ａ５）。
【００７９】
ここで、このパーソナルコンピュータ（ＰＣ）２０に受信された前記電子辞典１０からの指示信号が、指定の情報番号に対応する追加解説情報を通信ネットワーク（インターネット）Ｎ上のＷｅｂサーバ３０からダウンロードさせるための指示信号であると判断された場合には、電送制御部２５を介して通信ネットワーク（インターネット）Ｎ上のＷｅｂサーバ３０に接続され、指定の情報番号に対応する追加の解説情報をダウンロードさせると共に（ステップＡ３→Ａ６）、当該ダウンロードされた解説情報をハードディスク２２Ａ内の解説情報メモリ２２c1，２２c2，…にその情報番号を対応付けて記憶保存させる（ステップＡ７）。
【００８０】
すると、前記Ｗｅｂサーバ３０からダウンロードされた指定の情報番号に対応する追加の解説情報が前記電子辞典１０へ送信され（ステップＡ８）、該電子辞典１０においてその詳細テキスト及び詳細画像の表示・再生が行われる（ステップＳ２９，Ｓ３０、図７（Ａ）〜（Ｃ）参照）。
【００８１】
また、このパーソナルコンピュータ（ＰＣ）２０に受信された前記電子辞典１０からの指示信号が、当該ＰＣ２０内に既にダウンロードされて保存されている指定の情報番号に対応する追加解説情報の全体（詳細情報）を送信させるための指示信号であると判断された場合には、前記ハードディスク２２Ａ内の解説情報メモリ２２c1，２２c2，…に前記指定の情報番号に対応付けられた追加の解説情報が保存されているか否か判断される（ステップＡ４→Ａ９）。
【００８２】
そして、前記指定の情報番号に対応付けられた追加の解説情報がハードディスク２２Ａ内の解説情報メモリ２２c1，２２c2，…に保存されていると判断された場合には、当該指定の情報番号に対応する解説情報の全体（詳細情報）が読み出され、前記電子辞典１０へ送信されて（ステップＡ１０）、該電子辞典１０においてその詳細テキスト及び詳細画像の表示・再生が行われる（ステップＳ２６，Ｓ２７、図７（Ａ）〜（Ｃ）参照）。
【００８３】
また、このパーソナルコンピュータ（ＰＣ）２０に受信された前記電子辞典１０からの指示信号が、当該ＰＣ２０内に既にダウンロードされて保存されている指定の情報番号に対応する追加解説情報の概略情報を送信させるための指示信号であると判断された場合には、前記ハードディスク２２Ａ内の解説情報メモリ２２c1，２２c2，…に前記指定の情報番号に対応付けられた追加の解説情報の概略情報が保存されているか否か判断される（ステップＡ５→Ａ１１）。
【００８４】
そして、前記指定の情報番号に対応付けられた追加の解説情報（概略情報）がハードディスク２２Ａ内の解説情報メモリ２２c1，２２c2，…に保存されていると判断された場合には、当該指定の情報番号に対応する解説情報の概略情報が抽出され、前記電子辞典１０へ送信されて（ステップＡ１２）、該電子辞典１０においてその概略テキスト及び概略画像の表示・再生が行われる（ステップＳ１９〜Ｓ２３、図８（Ｃ）参照）。
【００８５】
図１０は前記パーソナルコンピュータ（ＰＣ）２０自身においてＷｅｂサーバ３０からダウンロード保存される追加の解説情報を利用するための情報利用処理を示すフローチャートである。
【００８６】
パーソナルコンピュータ（ＰＣ）２０において、情報利用モードが起動されると、ユーザに検索語の入力を促す検索語入力画面が初期画面として表示される（ステップＢ１）。
【００８７】
この検索語入力画面にあって、ユーザ所望の検索用語に従った検索語が入力されると、当該入力された検索語に対応する用語の見出しが、ハードディスク２２Ａに記憶されているダウンロード済みの解説情報を第１優先とし、またＷｅｂサーバ３０に記憶されている解説情報を第２優先として検索され（ステップＢ２→Ｂ４）、当該検索された見出しの候補がハードディスク２２Ａ上の解説情報メモリ２２c1，２２c2，…から読み出されて表示されるか、またはＷｅｂサーバ３０から受信されて表示される（ステップＢ５）。
【００８８】
この検索語に対応した見出し候補の表示画面にあって、その解説内容を検索すべき所望の見出しがユーザにより選択されることで、対応する追加解説情報の情報番号が指定されると（ステップＢ６）、当該指定された追加解説情報の情報番号が情報番号一覧メモリ２２Ｃ内に既に記憶されているか、つまり過去にその解説情報がダウンロード済みであるか否か判断される（ステップＢ７）。
【００８９】
ここで、前記ユーザ選択された検索見出しに対応する追加解説情報の情報番号が情報番号一覧メモリ２２ｃ内に既に記憶されており、当該解説情報がダウンロード済みであると判断された場合には、解説情報メモリ２２c1，２２c2，…から前記選択された見出しに対応する情報番号の解説情報が読み出され、その詳細画像の動画表示及び詳細テキストの音声出力として表示・再生される（ステップＢ７→Ｂ８）。
【００９０】
一方、前記ユーザ選択された検索見出しに対応する追加解説情報の情報番号が情報番号一覧メモリ２２Ｃ内に記憶されてなく、当該解説情報がダウンロード済みでないと判断された場合には、通信ネットワークＮ上のＷｅｂサーバ３０から前記選択された検索見出しに対応する情報番号に対応付けられた追加の解説情報がダウンロードされ（ステップＢ７→Ｂ９）、その情報番号がハードディスク２２Ａ内の情報番号一覧メモリ２２ｃに追加されて記憶されると共に（ステップＢ１０）、ダウンロードされた解説情報の詳細テキスト及び詳細画像も同ハードディスク２２Ａ内の解説情報メモリ２２c1，２２c2，…に記憶保存される（ステップＢ１１）。
【００９１】
すると、前記解説情報メモリ２２c1，２２c2，…から前記ダウンロードされた選択見出しに対応する情報番号の解説情報が読み出され、その詳細画像の動画表示及び詳細テキストの音声出力として表示・再生される（ステップＢ１１→Ｂ８）。
【００９２】
これにより、パーソナルコンピュータ（ＰＣ）２０の単体操作によっても、ダウンロード済みの追加の解説情報やＷｅｂサーバ３０に保存されている追加の解説情報を利用して、各種用語の内容検索及びその表示・再生を行うことができる。
【００９３】
図１１は前記パーソナルコンピュータ（ＰＣ）２０と電子辞典１０との間におけるデータシンクロ処理を示すフローチャートであり、同図（Ａ）はパーソナルコンピュータ（ＰＣ）２０側でのシンクロ処理を示すフローチャート、同図（Ｂ）は電子辞典１０側でのシンクロ処理を示すフローチャートである。
【００９４】
パーソナルコンピュータ（ＰＣ）２０の近距離通信部２５ａによる通信可能エリア内に電子辞典１０が入ったことにより、当該パーソナルコンピュータ（ＰＣ）２０の近距離通信部２５ａと電子辞典１０の近距離通信部１５ａとの間での通信接続が確立されると、まず、パーソナルコンピュータ（ＰＣ）２０の情報番号一覧メモリ２２ｃに記憶されているダウンロード済みの追加解説情報に対応する情報番号が読み出され、電子辞典１０に対して送信される（ステップＣ１）。
【００９５】
電子辞典１０において、前記パーソナルコンピュータ（ＰＣ）２０から送信されたダウンロード済みの追加解説情報に対応する情報番号が受信されると（ステップＤ１）、当該電子辞典１０内の情報番号メモリ１２ｄに記憶されている各解説情報対応の情報番号には無い新規の情報番号であるかが判断され（ステップＤ２）、新規の情報番号であると判断された場合には、当該新規の情報番号に対応する追加解説情報の中の概略情報の送信依頼がパーソナルコンピュータ（ＰＣ）２０へ送信される（ステップＤ２→Ｄ３）。
【００９６】
そして、パーソナルコンピュータ（ＰＣ）２０において、前記電子辞典１０から送信された新規の情報番号に対応する概略情報の送信依頼が受信されると（ステップＣ２）、当該依頼された情報番号に対応する追加解説情報が解説情報メモリ３２c1，３２c2，…から読み出されると共にその中の概略テキスト及び概略画像からなる概略情報が抽出され、前記依頼元の電子辞典１０へ送信される（ステップＣ３）。
【００９７】
電子辞典１０において、前記依頼した新規の情報番号に対応する追加解説情報の中の概略情報が、パーソナルコンピュータ（ＰＣ）２０から抽出されて受信されると、この受信された概略情報及びその情報番号が情報番号メモリ１２ｄ及び概略情報メモリ１２e1，１２e2，…に対して記憶保存される（ステップＤ４）。
【００９８】
これにより、電子辞典１０では、その電子辞典１０での検索操作に基づきパーソナルコンピュータ（ＰＣ）２０を経由してＷｅｂサーバ３０からダウンロードされた追加解説情報の概略情報を解説情報メモリ１２e1，１２e2，…に保存して、２回目以降の同一用語検索操作に伴い容易に読み出して表示・再生できるばかりでなく、パーソナルコンピュータ（ＰＣ）２０自身での検索操作に基づきＷｅｂサーバ３０からダウンロードして保存した追加解説情報の概略情報もデータシンクロにより取り込み、用語検索に伴う解説情報表示のための概略情報データベースをより充実させることができる。
【００９９】
図１２は前記Ｗｅｂサーバ３０における追加情報ダウンロード処理を示すフローチャートである。
【０１００】
前記電子辞典１０（Ｗｅｂサーバ３０から見て他の機器）における辞典検索ダウンロード処理の実行に伴い、前記パーソナルコンピュータ（ＰＣ）２０を経由して、その辞典検索結果に対応する追加解説情報のダウンロード要求がＷｅｂサーバ３０に受信されると（ステップＥ１）、その解説情報要求先の電子辞典サイトが判断され（ステップＥ２）、例えば百科事典サイト３２Ｂであると判断された場合には、当該百科事典に対応する辞典別情報メモリ（百科）３２Ｂ内のアクセス用認証情報に基づき、パーソナルコンピュータ（ＰＣ）２０を介し電子辞典１０との間でパスワード認証が行われる（ステップＥ３）。
【０１０１】
ここで、前記追加解説情報の要求元である電子辞典１０との認証ＯＫと判断されると（ステップＥ４）、当該電子辞典１０からのダウンロード要求に従った情報番号受信の有無が判断される（ステップＥ５）。
【０１０２】
そして、電子辞典１０からそのダウンロード要求に従った情報番号が受信されたと判断された場合には、前記ステップＥ４において認証ＯＫと判断されたパスワードに対応する課金先ユーザに対して、解説情報提供料としての所定の課金処理が行われ（ステップＥ５→Ｅ６）、解説情報メモリ３２c1，３２c2，…から読み出された指定の情報番号に対応する解説情報が前記ダウンロード要求元の電子辞典１０へパーソナルコンピュータ（ＰＣ）２０を経由して送信される（ステップＥ７）。
【０１０３】
これにより、Ｗｅｂサーバ３０は、電子辞典１０での辞典検索操作に基づきパーソナルコンピュータ（ＰＣ）２０を経由して受信された対応解説情報のダウンロード要求に応じて、当該対応解説情報を読み出してダウンロードすることができ、またその情報提供料を電子辞典１０のユーザに課金することができる。
【０１０４】
一方、前記電子辞典１０（Ｗｅｂサーバ３０から見て他の機器）からのパーソナルコンピュータ（ＰＣ）２０を経由した追加解説情報のダウンロード要求ではなく、パーソナルコンピュータ（ＰＣ）２０自身での用語検索に伴う対応解説情報の検索要求が受信されたと判断された場合には（ステップＥ１→Ｅ８）、当該パーソナルコンピュータ（ＰＣ）２０との間でパスワード認証が行われる（ステップＥ８→Ｅ３）。
【０１０５】
そして、前記解説情報の検索要求元であるパーソナルコンピュータ（ＰＣ）２０との認証ＯＫと判断されると（ステップＥ４）、当該パーソナルコンピュータ（ＰＣ）２０から受信された検索用語に対応した解説情報の検索処理が実行され（ステップＥ５→Ｅ９）、解説情報メモリ３２c1，３２c2,…から検索された用語の見出し候補がパーソナルコンピュータ（ＰＣ）２０へ送信される（ステップＥ１０）。
【０１０６】
この検索用語見出し候補のパーソナルコンピュータ（ＰＣ）２０への送信に応じて、当該パーソナルコンピュータ（ＰＣ）２０での操作により選択された用語見出しに対応する情報番号が受信されると（ステップＥ１１）、前記ステップＥ４において認証ＯＫと判断されたパスワードに対応する課金先ユーザに対して、解説情報提供料としての所定の課金処理が行われ（ステップＥ１１→Ｅ６）、解説情報メモリ３２c1，３２c2，…から読み出された指定の情報番号に対応する解説情報が前記検索要求元のパーソナルコンピュータ（ＰＣ）２０へ送信される（ステップＥ７）。
【０１０７】
これにより、Ｗｅｂサーバ３０は、パーソナルコンピュータ（ＰＣ）２０自身での用語検索操作に基づき受信された対応解説情報のダウンロード要求に応じて、当該対応解説情報を読み出してダウンロードすることができ、またその情報提供料をＰＣユーザに課金することができる。
【０１０８】
したがって、前記構成の電子辞典１０，パーソナルコンピュータ（ＰＣ）２０及びＷｅｂサーバ３０における辞典検索機能及びその解説情報ダウンロード機能によれば、電子辞典１０での辞典検索に応じてその追加の解説情報のダウンロード要求がパーソナルコンピュータ（ＰＣ）２０を経由してＷｅｂサーバ３０へ送信されると、当該Ｗｅｂサーバ３０に記憶されている対応解説情報が読み出されパーソナルコンピュータ（ＰＣ）２０にダウンロードされてハードディスク２２Ａに保存されると共に、さらに電子辞典１０へもダウンロードされて表示・再生出力され、その概略情報のみ抽出されて概略情報メモリ１２e1，１２e2，…に保存される。そして、電子辞典１０にて同一検索語の辞典検索を行った場合には、その追加の解説情報を概略情報メモリ１２e1，１２e2，…から読み出して容易に再表示することができ、さらに対応詳細情報もパーソナルコンピュータ（ＰＣ）２０のハードディスク２２Ａから読み出して容易に再表示することができる。
【０１０９】
よって、電子辞典１０において大きなメモリ容量を持たずとも、一度検索した用語であればその追加の解説情報を概略情報として容易に追加出力させることができ、しかもその詳細情報をまた見たい場合でも、近距離通信接続されるパーソナルコンピュータ（ＰＣ）２０から読み出して出力させることができるようになる。
【０１１０】
また、前記構成の電子辞典１０，パーソナルコンピュータ（ＰＣ）２０及びＷｅｂサーバ３０における辞典検索機能及びその解説情報ダウンロード機能によれば、電子辞典１０において、過去の検索に伴い追加の解説情報がダウンロードされた用語について再検索した際に、対応する概略情報がメモリ容量の不足により概略情報メモリ１２e1，１２e2，…から消去されている場合には、近距離通信接続されるパーソナルコンピュータ（ＰＣ）２０の解説情報メモリ２２c1，２２c2，…から対応概略情報を抽出して再出力させることができるので、過去にダウンロードしたものの消去された概略情報であっても、再度Ｗｅｂサーバ３０からのダウンロード処理を行う必要なく、容易に再出力させることができる。
【０１１１】
また、前記構成の電子辞典１０，パーソナルコンピュータ（ＰＣ）２０及びＷｅｂサーバ３０における辞典検索機能及びその解説情報ダウンロード機能によれば、電子辞典１０での辞典検索に応じて検索された辞典データの表示画面Ｇ２には、対応する追加の解説情報をダウンロードさせるための［詳細解説］ボタンＴ１が共に表示され、この［詳細解説］ボタンＴ１が指定されることで、当該検索辞典データに対応した追加解説情報のダウンロード要求が前記パーソナルコンピュータ（ＰＣ）２０を経由してＷｅｂサーバ３０へ行われるので、辞典検索に伴いその追加の解説情報が必要な場合にのみ容易に情報ダウンロードを指定して参照出力させることができる。
【０１１２】
また、前記構成の電子辞典１０，パーソナルコンピュータ（ＰＣ）２０及びＷｅｂサーバ３０における辞典検索機能及びその解説情報ダウンロード機能によれば、電子辞典１０での辞典検索に伴いその辞典データ表示画面Ｇ２上に表示された［詳細解説］ボタンＴ１の指定によって、パーソナルコンピュータ（ＰＣ）２０を経由したＷｅｂサーバ３０からの追加の解説情報のダウンロードが行われた後に、同一検索語による辞典検索が行われた場合には、その辞典データ表示画面Ｇ２′上で対応する追加の解説情報を呼び出すための指定ボタンが、前記ダウンロード済みである追加解説情報の概略情報が当該電子辞典１０内の概略情報メモリ１２e1，１２e2，…に保存されていることを示す実線太枠付の［解説］ボタンＴ２として表示されるので、ユーザは辞典検索に伴い対応する追加の解説情報がダウンロード済みであること、そしてその概略情報が直ちに呼び出し参照可能であることを知ることができる。
【０１１３】
また、前記構成の電子辞典１０，パーソナルコンピュータ（ＰＣ）２０及びＷｅｂサーバ３０における辞典検索機能及びその解説情報ダウンロード機能によれば、パーソナルコンピュータ（ＰＣ）２０自身での操作により所望の検索用語を入力して検索を指示すると、既にダウンロード済みで解説情報メモリ２２c1，２２c2，…に保存されている各種用語に対応した追加の解説情報、さらには通信ネットワークＮを介して接続されるＷｅｂサーバ３０にて予め保存されている各種用語に対応した追加の解説情報がデータベースとなって用語検索が実行され、その詳細な情報を取得できるようになる。
【０１１４】
さらに、前記構成の電子辞典１０，パーソナルコンピュータ（ＰＣ）２０及びＷｅｂサーバ３０における辞典検索機能及びその解説情報ダウンロード機能によれば、前記パーソナルコンピュータ（ＰＣ）２０自身での用語検索操作に伴い新たにＷｅｂサーバ３０からダウンロードされて解説情報メモリ２２c1，２２c2，…に保存された追加の解説情報については、近距離通信接続される電子辞典１０とのデータシンクロ処理によりその概略情報のみ抽出されて該電子辞典１０内の概略情報メモリ１２c1，１２c2，…へも追加保存されるので、パーソナルコンピュータ（ＰＣ）２０での検索操作によって得られた解説情報であっても、これ以降に電子辞典１０で同一検索語による辞典検索を行った場合には、ダウンロード済みの追加の解説情報として参照出力させることができるようになる。
【０１１５】
なお、前記実施形態において、電子機器としての電子辞典１０と通信機器としてのパーソナルコンピュータ（ＰＣ）２０とは、Bluetooth(R)による近距離通信部１５ａ，２５ａを介して無線通信接続される構成としたが、ＵＳＢケーブルなどによって有線通信接続される構成としてもよい。
【０１１６】
なお、前記実施形態において記載した電子機器（電子辞典）１０、通信機器（パーソナルコンピュータＰＣ）２０、及びＷｅｂサーバ３０による辞典検索に伴う追加解説情報ダウンロード処理の手法、すなわち、図４，図５のフローチャートに示す電子機器（電子辞典）１０での辞典検索ダウンロード処理、図９のフローチャートに示す通信機器（パーソナルコンピュータＰＣ）２０での電子機器（電子辞典）１０からの指示に伴うダウンロード処理、図１０のフローチャートに示す通信機器（パーソナルコンピュータＰＣ）２０自身による情報利用処理、図１１のフローチャートに示す通信機器（パーソナルコンピュータＰＣ）２０と電子機器（電子辞典）１０との間でのデータシンクロ処理、図１２のフローチャートに示すＷｅｂサーバ３０での追加情報ダウンロード処理等の各手法は、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録媒体１３、２３、３３に格納して配布することができる。そして、通信ネットワーク（インターネット）Ｎとの通信機能を備えた種々のコンピュータ端末は、この外部記録媒体１３、２３、３３に記憶されたプログラムを記録媒体読取部１４、２４、３４によってメモリ１２、２２、３２に読み込み、この読み込んだプログラムによって動作が制御されることにより、前記実施形態において説明した辞典検索に伴う追加解説情報のダウンロード機能を実現し、前述した手法による同様の処理を実行することができる。
【０１１７】
また、前記各手法を実現するためのプログラムのデータは、プログラムコードの形態として通信ネットワーク（Ｎ）上を伝送させることができ、この通信ネットワーク（Ｎ）に接続されたコンピュータ端末から前記のプログラムデータを取り込み、前述した辞典検索に伴う追加解説情報のダウンロード機能を実現することもできる。
【０１１８】
なお、前記実施形態においてダウンロードされた追加解説情報の出力は、静止画や動画出力であったが、音声出力であってもよい。
【０１１９】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【０１２０】
【発明の効果】
以上のように、本発明の請求項１に係る電子機器によれば、通信機器から受信して情報出力されたダウンロード情報のうちの一部の情報が当該電子機器に保存されるので、同じ情報を指定すると、保存されたその一部の情報のみを適切に出力することができる。従って、通信機器から受信したダウンロード情報を効率よく保存して利用できる。
【０１２１】
例えば辞典検索に伴い検索された辞典データに対応するダウンロード情報の取得について指定されると、この指定された情報に対応するダウンロード情報を、通信機器に対して通信ネットワークからダウンロードさせるための要求が送信され、このダウンロード要求に応じて前記通信機器においてダウンロードされたダウンロード情報が当該通信機器から受信されると、この受信されたダウンロード情報が出力されると共に、当該ダウンロード情報のうちの一部の情報が一部情報記憶手段により記憶される。そしてまた、同じダウンロード情報の取得について再度指定された場合は、前記一部情報記憶手段に記憶されている一部の情報が出力される。よって、通信ネットワークからダウンロードされたダウンロード情報を、その一部の情報として電子機器単独で再出力させることができるようになる。
【０１２４】
したがって、携帯端末などの小容量の電子機器にあっても、辞典検索に伴いＷｅｂサイトよりダウンロードされた追加の解説情報を、容易に適切に再出力することが可能になる。
【図面の簡単な説明】
【図１】本発明の電子機器の実施形態に係る電子辞典１０の電子回路の構成を示すブロック図。
【図２】前記電子機器（電子辞典１０）と組み合わせて使用される通信機器としてのパーソナルコンピュータ（ＰＣ）２０の電子回路の構成を示すブロック図。
【図３】前記電子機器（電子辞典１０）及び通信機器（パーソナルコンピュータ２０）をネットワーク環境において使用する場合の解説情報提供元となるＷｅｂサーバ３０の構成を示すブロック図。
【図４】前記電子辞典１０における辞典検索ダウンロード処理（その１）を示すフローチャート。
【図５】前記電子辞典１０における辞典検索ダウンロード処理（その２）を示すフローチャート。
【図６】前記電子辞典１０における辞典検索ダウンロード処理に伴う表示例（その１）を示す図であり、同図（Ａ）は検索語の入力画面Ｇ１を示す図、同図（Ｂ）は用語初回検索時の解説情報ダウンロード前の辞典データ表示画面Ｇ２を示す図。
【図７】前記電子辞典１０における辞典検索ダウンロード処理に伴う表示例（その２）を示す図であり、同図（Ａ）〜同図（Ｃ）は解説情報ダウンロードに伴う詳細画像表示画面Ｇ３ａ〜Ｇ３ｃ及び詳細テキスト再生状態を示す図。
【図８】前記電子辞典１０における辞典検索ダウンロード処理に伴う表示例（その３）を示す図であり、同図（Ａ）は検索語の入力画面Ｇ１を示す図、同図（Ｂ）は用語２回目以降検索時の解説情報呼び出し前の辞典データ表示画面Ｇ２′を示す図、同図（Ｃ）は解説情報呼び出しに伴う概略情報表示画面Ｇ４を示す図。
【図９】前記パーソナルコンピュータ（ＰＣ）２０における電子辞典１０からの指示に伴うダウンロード処理を示すフローチャート。
【図１０】前記パーソナルコンピュータ（ＰＣ）２０自身においてＷｅｂサーバ３０からダウンロード保存される追加の解説情報を利用するための情報利用処理を示すフローチャート。
【図１１】前記パーソナルコンピュータ（ＰＣ）２０と電子辞典１０との間におけるデータシンクロ処理を示すフローチャートであり、同図（Ａ）はパーソナルコンピュータ（ＰＣ）２０側でのシンクロ処理を示すフローチャート、同図（Ｂ）は電子辞典１０側でのシンクロ処理を示すフローチャート。
【図１２】前記Ｗｅｂサーバ３０における追加情報ダウンロード処理を示すフローチャート。
【符号の説明】
１０  …電子機器（電子辞典）
２０  …通信機器（パーソナルコンピュータＰＣ）
３０  …Ｗｅｂサーバ
１１、２１、３１…ＣＰＵ
１２、２２、３２…メモリ
１２Ａ…ＲＯＭ
１２Ｂ…FLASHメモリ
１２Ｃ…ＲＡＭ
１２ａ…ダウンロードプログラム
１２ｂ…辞典プログラム
１２ｃ…辞典データ
１２ｄ…情報番号メモリ
１２e1，１２e2，…概略情報メモリ
１２ｆ…縮小画像メモリ
１２ｇ…解説情報メモリ
２２Ａ…ハードディスク
２２Ｂ…ＲＡＭ
２２ａ…ＰＣ用ダウンロードプログラム
２２ｂ…ＰＣ用情報利用プログラム
２２ｃ…情報番号一覧メモリ
２２c1，２２c2，…解説情報メモリ
２２ｄ…ワークメモリ
３２Ａ…サーバ用ダウンロードプログラム
３２Ｂ，３２Ｃ，３２Ｄ…辞典別情報メモリ
３２b1，３２b2，３２c1，３２c2，…解説情報メモリ
１３、２３、３３…外部記録媒体
１４、２４、３４…記録媒体読取部
１５、２５、３５…電送制御部
１５ａ、２５ａ…近距離通信部
１６、２６、３６…入力部
１７、２７、３７…表示部
１８、２８、３８…時計部
１９、２９…音声出力部
Ｎ  …通信ネットワーク（インターネット）
【図１】
0003997763.tif 000002
【図２】
0003997763.tif 000003
【図３】
0003997763.tif 000004
【図４】
0003997763.tif 000005
【図５】
0003997763.tif 000006
【図６】
0003997763.tif 000007
【図７】
0003997763.tif 000008
【図８】
0003997763.tif 000009
【図９】
0003997763.tif 000010
【図１０】
0003997763.tif 000011
【図１１】
0003997763.tif 000012
【図１２】
0003997763.tif 000013